(57)【要約】【課題】符号分割多元接続を用いた時分割二重通信システムにおいて、ユーザ装置（ＵＥ）が音声データなどのトラフィックデータの送信に先立ってセルの基地局と同期をとるセルサーチのプロセスを単純な機器構成で短時間に行えるようにする。【解決方法】複数の基地局とユーザ装置とを含む通信システムにおいて、それら基地局の各々はシステムフレームの中の互いに異なるタイミングの一次同期チャネルで共通の一次同期符号（ＰＳＣ）を送信するとともに、一斉通報チャネルでミドアンブル符号を送信する。ＰＳＣとミドアンブル符号との送信電力レベルの各基地局における比を共通の固定値に設定する。ユーザ装置（ＵＥ）はセルサーチを行うことができ、上記ＰＳＣを受信する受信機と、受信ＰＳＣの電力レベルを測定するとともに受信ＰＳＣの電力レベルが電力閾値を超えたフレームタイミングを特定する信号電力測定装置と、閾値以上の電力レベルの前記受信ＰＳＣのうち電力レベル最大値のＰＳＣと関連した前記一次同期チャネルで受信したデータ信号、すなわち二次同期符号を含むデータ信号を分析するプロセッサとを含む。このプロセッサは、前記電力レベル最大値のＰＳＣと関連した基地局と同期をとりその同期を維持する。【選択図】図４
2004525531.tif 000002
【特許請求の範囲】
【請求項１】
システムフレームの中の互いに異なるタイミングの一次同期チャネルで共通の一次同期符号（ＰＳＣ）をそれぞれ送信するとともに一斉通報チャネルでミドアンブル符号をそれぞれ送信する複数の基地局を有する無線通信システムであって、前記ＰＳＣと前記ミドアンブル符号との送信電力レベルの比が前記基地局の各々において共通の一定の値を有する無線通信システムにおいてセルサーチを行うことのできるユーザ装置（ＵＥ）であって、
前記ＰＳＣを受信する受信機と、
受信したＰＳＣの電力レベルを測定するとともに電力閾値以上の電力レベルの受信ＰＳＣのフレームタイミングを特定する信号電力測定装置と、
閾値を超える電力レベルで受信したＰＳＣのうち電力レベル最大値のＰＳＣに関連した前記一次同期チャネルで受信したデータ信号であって二次同期符号を含むデータ信号を分析するとともに、前記電力レベル最大値のＰＳＣに関連した基地局との同期を確保し維持するプロセッサと
を含むユーザ装置（ＵＥ）。
【請求項２】
前記信号電力測定装置が、
前記共通のＰＳＣに整合し前記複数の基地局からそれぞれ受信したＰＳＣの各々を測定する整合フィルタと、
前記複数の基地局の各々から受信した送信信号の雑音電力を算定する雑音推算器と、
前記電力閾値を算定するとともに、前記受信したＰＳＣの前記測定した電力レベルを前記閾値と比較し前記電力レベル最大値のＰＳＣのフレームタイミングを出力する比較器と
を含む請求項１記載のユーザ装置。
【請求項３】
前記プロセッサが、
前記信号電力測定装置からの前記フレームタイミング出力に応答して前記一次同期チャネルの前記二次同期符号（ＳＳＣ）を検出し、前記フレームタイミングに関連した基地局を特定して前記ミドアンブル符号を含む基地局情報を抽出するＳＳＣプロセッサと
前記ＳＳＣプロセッサに応答して一次スクランブル符号を検出する同期プロセッサと
を含む請求項２記載のユーザ装置。
【請求項４】
前記基地局情報が時間ずれ、フレーム指標、前記送信したＰＳＣの時間スロット、受信信号電力、および前記ＵＥについての到着時間をさらに含む請求項３記載のユーザ装置。
【請求項５】
システムフレームの中の互いに異なるタイミングの一次同期チャネルで共通の一次同期符号（ＰＳＣ）をそれぞれ送信するとともに一斉通報チャネルでミドアンブル符号をそれぞれ送信する複数の基地局であって、前記ＰＳＣと前記ミドアンブル符号との送信電力レベルの比が各々において共通の一定の値を有する複数の基地局と、
セルサーチを行うことのできるユーザ装置（ＵＥ）であって、
前記ＰＳＣを受信する受信機と、
受信したＰＳＣの電力レベルを測定するとともに電力閾値以上の電力レベルの受信ＰＳＣのフレームタイミングを特定する信号電力測定装置と、
閾値を超える電力レベルで受信したＰＳＣのうち電力レベル最大値のＰＳＣに関連した前記一次同期チャネルで受信したデータ信号であって二次同期符号を含むデータ信号を分析するとともに、前記電力レベル最大値のＰＳＣに関連した基地局との同期を確保し維持するプロセッサと
を含むユーザ装置（ＵＥ）と
を含む無線通信システム。
【請求項６】
前記信号電力測定装置が、
前記共通のＰＳＣに整合し前記複数の基地局からそれぞれ受信したＰＳＣの各々を測定する整合フィルタと、
前記複数の基地局の各々から受信した送信信号の雑音電力に基づき前記電力閾値を算定する雑音推算器と、
前記電力閾値を算定するとともに、前記受信したＰＳＣの前記測定した電力レベルを前記閾値と比較し前記電力レベル最大値のＰＳＣのフレームタイミングを出力する比較器と
を含む請求項５記載の無線通信システム。
【請求項７】
前記プロセッサが、
前記信号電力測定装置からの前記フレームタイミング出力に応答して前記一次同期チャネルの前記二次同期符号（ＳＳＣ）を検出し、前記フレームタイミングに関連した基地局を特定して前記ミドアンブル符号を含む基地局情報を抽出するＳＳＣプロセッサと
前記ＳＳＣプロセッサに応答して一次スクランブル符号を検出する同期プロセッサと
を含む請求項６記載の無線通信システム。
【請求項８】
前記基地局情報が時間ずれ、フレーム指標、前記送信したＰＳＣの時間スロット、受信信号電力、および前記ＵＥについての到着時間をさらに含む請求項７記載の無線通信システム。
【請求項９】
複数の基地局とユーザ装置（ＵＥ）とを有する無線通信システムにおけるセルサーチの方法であって、
前記基地局の各々において、
フレームの中の互いに異なるタイミングの一次同期チャネルで共通の一次同期符号（ＰＳＣ）をそれぞれ送信することと、
一斉通報チャネル経由のミドアンブル符号の送信を、前記ＰＳＣと前記ミドアンブル符号との送信電力レベルの比が前記基地局の各々において共通の一定の値を有するように行うことと
を含み、
前記ユーザ装置（ＵＥ）において、
前記ＰＳＣを受信することと、
受信したＰＳＣの電力レベルを測定することと、
電力閾値以上で電力レベル最大値の受信ＰＳＣのフレームタイミングを特定することと、
閾値を超える電力レベルで受信したＰＳＣを有し前記一次同期チャネルで受信したデータ信号であって二次同期符号を含むデータ信号を分析することと、
前記電力レベル最大値のＰＳＣに関連した基地局との同期を確保し維持することと
を含むセルサーチの方法。
【請求項１０】
前記複数の基地局の各々から受信した送信信号の雑音電力に基づき前記電力閾値を算定する過程と、
前記受信したＰＳＣの前記測定した電力レベルを前記閾値と比較し前記電力レベル最大値のＰＳＣのフレームタイミングを出力する過程と、
前記一次同期チャネルの前記二次同期符号を検出し、前記フレームタイミングに関連した基地局を特定して前記ミドアンブル符号を含む基地局情報を抽出する過程と、
一次スクランブル符号を検出する過程と
をさらに含む請求項９記載の方法。
【請求項１１】
前記基地局情報が時間ずれ、フレーム指標、前記送信したＰＳＣの時間スロット、受信信号電力、および前記ＵＥについての到着時間をさらに含む請求項１０記載の方法。
【請求項１２】
システムフレームの中の互いに異なるタイミングの一次同期チャネルで共通の一次同期符号（ＰＳＣ）をそれぞれ送信するとともに一斉通報チャネルでミドアンブル符号をそれぞれ送信する複数の基地局を有する無線通信システムであって、前記ＰＳＣと前記ミドアンブル符号との送信電力レベルの比が前記基地局の各々において共通の一定の値を有する無線通信システムにおいてセルサーチを行うことのできるユーザ装置（ＵＥ）であって、
前記ＰＳＣを受信する受信機と、
受信したＰＳＣの電力レベルを測定するとともに電力閾値以上の電力レベルの受信ＰＳＣのフレームタイミングを特定し、前記ミドアンブル符号を含む基地局情報を抽出する信号電力測定装置と、
前記受信したＰＳＣの電力レベルのうち前記電力閾値を超える受信ＰＳＣに関連した一次スクランブル符号を検出するとともに、前記ＰＳＣのうち前記電力閾値を超えるＰＳＣに関連した基地局との同期を確保し維持するプロセッサであって、前記電力閾値と前記一つのＰＳＣに関連した前記ミドアンブル符号の受信電力レベルとの比が前記共通の比よりも大きくなるようにするプロセッサと
を含むユーザ装置（ＵＥ）。
【請求項１３】
前記信号電力測定装置が、
前記共通のＰＳＣに整合し前記複数の基地局からそれぞれ受信したＰＳＣの各々を測定する整合フィルタと、
前記複数の基地局の各々から受信した送信信号の雑音電力に基づき前記電力閾値を算定する雑音推算器と、
前記受信したＰＳＣの前記測定した電力レベルを前記閾値と比較し前記電力閾値以上の前記特定したＰＳＣのフレームタイミングを出力する比較器と
を含む請求項１２記載のユーザ装置。
【請求項１４】
前記電力閾値を超える受信ＰＳＣに関連した基地局が前記フレームタイミングに基づき前記ＵＥに既知であり、その既知情報が前記ミドアンブル符号の抽出に用いられる請求項１３記載のユーザ装置。
【請求項１５】
前記電力閾値を超える前記ＰＳＣのうち電力レベル最大値のものと関連した基地局と前記プロセッサが同期をとる請求項１４記載のユーザ装置。
【請求項１６】
前記基地局情報が時間ずれ、フレーム指標、前記送信したＰＳＣの時間スロット、受信信号電力、および前記ＵＥについての到着時間をさらに含む請求項１５記載のユーザ装置。
【請求項１７】
複数の基地局およびユーザ装置（ＵＥ）を有する無線通信システムにおけるセルサーチの方法であって、
前記基地局の各々において、
フレームの中の互いに異なるタイミングの一次同期チャネルで共通の一次同期符号（ＰＳＣ）を送信することと、
一斉通報チャネルによるミドアンブルの送信を、前記基地局の各々につき前記ミドアンブル符号およびＰＳＣの送信電力レベルが共通の一定比になるように行うことと
を含み、前記ユーザ装置（ＵＥ）において、
前記ＰＳＣを受信することと、
受信した前記ＰＳＣの前記電力レベルを測定することと、
受信した前記ＰＳＣのうち電力閾値を超えるＰＳＣのフレームタイミングの特定を、前記ミドアンブル符号を含む基地局情報を抽出するように行うことと、
前記電力閾値を超える受信ＰＳＣに関連した一次スクランブル符号を前記ミドアンブル符号に応答して検出することと、
前記電力閾値を超える前記ＰＳＣの一つに関連した基地局との同期を、前記電力閾値および前記一つのＰＳＣに関連した前記ミドアンブル符号の前記受信電力レベルの比が前記共通の比の値を超えるように確保すること
とを含む方法。
【請求項１８】
前記ユーザ装置（ＵＥ）において、
前記複数の基地局の各々から受信した送信信号の雑音電力に基づき前記電力閾値を算定する過程と、
前記受信したＰＳＣの電力レベルを前記閾値と比較するとともに、前記所定の電力閾値を超える前記特定したＰＳＣの前記フレームタイミングを出力する過程と
をさらに含む請求項１７記載の方法。
【請求項１９】
前記ＵＥが前記電力閾値を超える前記ＰＳＣの一つの前記電力レベル最大値と関連した前記基地局と同期をとる請求項１８記載の方法。
【請求項２０】
前記基地局情報が時間ずれ、フレーム指標、前記送信したＰＳＣの時間スロット、受信信号電力、および前記ＵＥについての到着時間をさらに含む請求項１８記載の方法。
【請求項２１】
システムフレームの中の互いに異なるタイミングの一次同期チャネルで共通の一次同期符号（ＰＳＣ）をそれぞれ送信するとともに一斉通報チャネルでミドアンブル符号をそれぞれ送信する複数の基地局であって、前記ＰＳＣと前記ミドアンブル符号との送信電力レベルの比が各々について共通の一定の値を有する複数の基地局と、
ユーザ装置（ＵＥ）であって、
前記ＰＳＣを受信する受信機と、
受信したＰＳＣの電力レベルを測定するとともに電力閾値以上の電力レベルの受信ＰＳＣのフレームタイミングの特定を、前記ミドアンブル符号を含む基地局情報を抽出するように行う信号電力測定装置と、
前記電力閾値以上の前記受信したＰＳＣと関連した一次スクランブル符号を検出するとともに、前記電力閾値以上の電力レベルの前記一つのＰＳＣに関連づけられた基地局との同期確保を、前記電力閾値と前記一つのＰＳＣに関連づけられたミドアンブル符号の受信電力レベルとの比が前記共通の比を超えるように行うプロセッサと
を含むユーザ装置と
を含む無線時分割二重通信システム。
【請求項２２】
前記信号電力測定装置が、
前記共通のＰＳＣに整合し前記複数の基地局からそれぞれ受信したＰＳＣの各々を測定する整合フィルタと、
前記複数の基地局の各々から受信した送信信号の雑音電力に基づき前記電力閾値を算定する雑音推算器と、
前記受信したＰＳＣの前記測定した電力レベルを前記閾値と比較し、前記電力閾値を超える前記特定したＰＳＣのフレームタイミングを出力する比較器と
を含む請求項２１記載の通信システム。
【請求項２３】
前記電力閾値を超える受信ＰＳＣに関連した基地局が前記フレームタイミングに基づき前記ＵＥに既知であり、その既知情報が前記ミドアンブル符号の抽出に用いられる請求項２２記載の通信システム。
【請求項２４】
前記電力閾値を超える前記ＰＳＣのうち電力レベル最大値のものと関連した基地局と前記ＵＥが同期をとる請求項２３記載の通信システム。
【請求項２５】
前記基地局情報が時間ずれ、フレーム指標、前記送信したＰＳＣの時間スロット、受信信号電力、および前記ＵＥについての到着時間をさらに含む請求項２３記載のユーザ装置。
【請求項２６】
システムフレームの中の互いに異なるタイミングの一次同期チャネルで共通の一次同期符号（ＰＳＣ）をそれぞれ送信するとともに一斉通報チャネルでミドアンブル符号をそれぞれ送信する複数の基地局であって、前記ＰＳＣと前記ミドアンブル符号との送信電力レベルの比が各々について共通の一定の値を有する複数の基地局と、
ユーザ装置（ＵＥ）であって、
前記ＰＳＣを受信する手段と、
受信したＰＳＣの電力レベルを測定するとともに電力閾値以上の電力レベルの受信ＰＳＣのフレームタイミングの特定を、前記ミドアンブル符号を含む基地局情報を抽出するように行う手段と、
前記電力閾値以上の前記受信したＰＳＣと関連した一次スクランブル符号を検出するとともに、前記電力閾値以上の電力レベルの前記一つのＰＳＣに関連づけられた基地局との同期確保を、前記電力閾値と前記一つのＰＳＣに関連づけられたミドアンブル符号の受信電力レベルとの比が前記共通の比を超えるように行う手段とを含むユーザ装置と
を含む無線時分割二重通信システム。
【請求項２７】
前記信号電力測定装置が、
前記複数の基地局の各々から受信した送信信号の雑音電力に基づき前記電力閾値を算定する手段と、
前記受信したＰＳＣの前記測定した電力レベルを前記閾値と比較し前記電力閾値を超える前記特定したＰＳＣのフレームタイミングを出力する手段と
を含む請求項２６記載の通信システム。
【請求項２８】
前記電力閾値を超える受信ＰＳＣに関連した基地局が前記フレームタイミングに基づき前記ＵＥに既知であり、その既知情報が前記ミドアンブル符号の抽出に用いられる請求項２７記載の通信システム。
【請求項２９】
前記電力閾値を超える前記ＰＳＣのうち電力レベル最大値のものと関連した基地局と前記ＵＥが同期をとる請求項２８記載の通信システム。
【請求項３０】
前記基地局情報が時間ずれ、フレーム指標、前記送信したＰＳＣの時間スロット、受信信号電力、および前記ＵＥについての到着時間をさらに含む請求項２８記載のユーザ装置。
【請求項３１】
システムフレームの中の互いに異なるタイミングの一次同期チャネルで共通の一次同期符号（ＰＳＣ）をそれぞれ送信するとともに一斉通報チャネルでミドアンブル符号をそれぞれ送信する複数の基地局であって、前記ＰＳＣと前記ミドアンブル符号との送信電力レベルの比が各々について共通の一定の値を有する複数の基地局と、
セルサーチのできるユーザ装置（ＵＥ）であって、
前記ＰＳＣを受信する手段と、
受信したＰＳＣの電力レベルを測定するとともに電力閾値以上の電力レベルの受信ＰＳＣのフレームタイミングを特定する手段と、
閾値を超える電力レベルで受信したＰＳＣのうち電力レベル最大値のＰＳＣと関連した前記一次同期チャネルで受信したデータ信号であって二次同期符号を含むデータ信号を分析するとともに前記電力レベル最大値のＰＳＣに関連した基地局との同期を確保し維持する手段と
を含むユーザ装置と
を含む無線通信システム。
【請求項３２】
前記測定手段が、
前記複数の基地局からの送信信号の雑音電力を算定する手段と、
前記電力閾値を判定するとともに、前記受信したＰＳＣの電力レベルの測定値を前記閾値と比較して前記受信電力最大値のＰＳＣのフレームタイミングを出力するプロセス手段と
を含む請求項３１記載のシステム。
【請求項３３】
前記分析する手段が、
前記フレームタイミングと関連した基地局を特定し前記フレームタイミングに応答して前記ミドアンブル符号を含む基地局情報を抽出するように前記一次同期チャネルの中の前記二次同期符号を検出する手段と、
前記検出する手段に応答して前記一次スクランブル符号を用いて前記基地局と交信する同期手段と
を含む請求項３２記載のシステム。
【請求項３４】
前記基地局情報が時間ずれ、フレーム指標、前記送信したＰＳＣの時間スロット、受信信号電力、および前記ＵＥについての到着時間をさらに含む請求項３３記載のシステム。
【請求項３５】
無線通信システム、すなわち一次同期チャネルで一次同期符号（ＰＳＣ）を送信する複数の基地局であって、システムフレームの中の互いに異なるタイミングでＰＳＣを、一斉通報チャネルでミドアンブル符号を各々がそれぞれ送信する複数の基地局と、ユーザ装置とを含む無線通信システムにおいて複数の基地局を互いに同期させる方法であって、
前記複数の基地局の各々について前記ＰＳＣを受信する過程と、
受信したＰＳＣの電力レベルを測定する過程と、
電力閾値よりも高い電力レベルを有する前記ＰＳＣのフレームタイミングを検出する過程と、
前記電力閾値を超える前記ＰＳＣと関連した前記基地局を特定するとともに、その特定された基地局の時間ずれおよび時間スロットなどの基地局情報を抽出する過程と、
前記時間ずれに応答して前記特定された基地局の前記ＰＳＣのフレームタイミングを調整する過程と、
前記調整したＰＳＣフレームタイミングの各々につき到着時間（ＴＯＡ）を算出する過程と、
前記ＴＯＡに応答して前記基地局のタイミングを調整する過程と
を含む方法。
【請求項３６】
前記基地局を特定する過程が、
前記一次同期チャネルの中の二次同期符号（ＳＳＣ）を検出する過程と、
前記ＳＳＣについて信頼試験を行う過程と
を含む請求項３５記載の方法。
【請求項３７】
前記ＴＯＡに応答して前記フレームタイミングを調整する過程が、
前記特定した基地局の各々について前記ＴＯＡを用いて到着時間距離（ＴＤＯＡ）を算出する過程と、
前記算出したＴＤＯＡを蓄積ずみのＴＤＯＡと比較する過程と、
前記比較に基づきタイミング誤りを発生する過程と
を含む請求項３６記載の方法。
【請求項３８】
前記ミドアンブル符号と前記ＰＳＣとの送信電力レベルの比が前記基地局の各々について共通の固定値である請求項３７記載の方法。
【発明の詳細な説明】
【０００１】
【発明の分野】
この発明は無線通信システムに関する。さらに詳細には、この発明は符号分割多元接続を用いた時分割二重通信システムにおけるセルのサーチに関する。
【０００２】
【従来技術の説明】
セルサーチは無線ユーザ、すなわちユーザ装置（ＵＥ１０）が音声データなどのトラフィックデータの送信に先立ってセル内の基地局との間で同期をとるプロセスである。図１は無線通信システムにおけるＵＥ１０の図解である。活性状態に入った直後のＵＥ１０には自局の所在は不明である。ＵＥ１０は、複数のセル１２１乃至１２ｎの中からセル１２１を選択し、そのセルと関連づけられている基地局１４１を選択して交信する。交信の開始に先立って、ＵＥ１０は自局のタイミングおよび符号セットをその基地局１４１に同期させる。
【０００３】
このセルサーチのプロセスは二つのステップを伴う。第１のステップ（ステップ１）ではＵＥ１０は近傍の基地局１４１乃至１４ｎを識別する。基地局１４の各々は一次同期チャネル（ＰＳＣＨ）経由で一次同期符号（ＰＳＣ）を送信する。
【０００４】
符号分割多元接続（ＣＤＭＡ）を用いた通常の時分割二重（ＴＤＤ）通信システムでは、ＰＳＣＨは１５個の時間スロットから成るフレームの中の一つの時間スロット（ケース１）、または二つの時間スロット（ケース２）に位置づける。ケース１では、それら１５個の時間スロットの中の時間スロットＫでＰＳＣＨを送信する。ケース２では、二つの時間スロットＫおよびＫ＋８でＰＳＣＨを送信する。基地局１４を相互に区別するために、それら基地局１４の各々はその基地局特有のＰＳＣを時間スロット境界から特定の時間ずれｔＯＦＦＳＥＴだけずらして送信する。
【０００５】
ステップ１ではＵＥ１０がそれら基地局から送信されてきたＰＳＣを探索する。ＵＥ１０は上記一つまたは二つのＰＳＣＨ時間スロットで受信ＰＳＣを探索する。ＰＳＣは通常は無変調２５６チップなど無変調であるので、そのサーチはそれら時間スロット期間中にわたる整合フィルタ出力の中のピーク値の探索によって行う。それらピーク値の各々が同期確保対象の基地局１４の候補に対応する。
【０００６】
ステップ２では、各セルに関する情報、すなわちセル固有符号セット、ｔＯＦＦＳＥＴ、二つのフレームのインタリーブ期間の中のフレーム指標、そのセルの送信ＰＳＣ（ケース２の場合）の時間スロットなどの情報を算定する。これら各セルに関する情報の各々を算定するために、ＵＥ１０は各ＰＳＣとともに送信されてくる二次同期符号（ＳＳＣ）を探索する。ピーク値の各々においてＵＥ１０は送信されてきたＳＳＣをサーチする。各基地局について検出したＳＳＣおよび変調データに基づき、ＵＥ１０はセル関連情報を探知する。
【０００７】
ステップ３ではＵＥ１０が同期確保相手の基地局１４１を決める。この決定のために、ＵＥ１０は一次共通制御物理チャネル（Ｐ−ＣＣＰＣＨ）の一斉通報チャネル（ＢＣＨ）を同期確保相手の候補基地局１４の各々についてそれら基地局からのミドアンブルでモニタする。受信電力最大のミドアンブル対応の基地局１４１を同期確保対象の基地局１４として選択するのである。
【０００８】
このセルサーチ手順の実働化は、装置の複雑化と同期達成までの所要時間との間のトレードオフを伴う。同期達成までの所要時間を短縮するには、互いに異なるセルからのＳＳＣおよびミドアンブル全部をサーチする整合フィルタを用いることができる。複数フレームを対象とした可変構造型整合フィルタを代わりに用いることもできる。複数フレーム対象手法を用いた場合は同期達成に要する時間は長くなるが、整合フィルタおよびそれ以外のセルサーチ用構成部分の数を減らすことができる。
【０００９】
したがって、セルサーチの達成に代替的手法が必要になっている。
【００１０】
【発明の概要】
複数の基地局およびユーザ装置を含む無線通信システムにおいて、それら基地局の各々が、システムフレームの中の互いに異なるタイミングの一次同期チャネルで共通の一次同期符号（ＰＳＣ）を送信するとともに、一斉通報チャネルでミドアンブル符号を送信する。これらＰＳＣとミドアンブル符号との送信電力レベルの比を基地局の各々で共通の一定値とする。ユーザ装置（ＵＥ）はセルサーチを行う機能を備え、上記ＰＳＣを受信する受信機と、受信ＰＳＣの電力レベルを測定するとともに電力閾値以上の受信ＰＳＣのフレームタイミングを特定する信号電力測定装置と、上記閾値以上の電力レベルの受信ＰＳＣの中で電力レベル最大値のＰＳＣと関連した上記一次同期チャネルで受信したデータ信号を分析するプロセッサとを含む。このプロセッサは上記電力レベル最大値のＰＳＣを伴う基地局との間で同期をとって同期を確保する。一方、上記データ信号は二次同期符号を含む。
【００１１】
【好ましい実施例の詳細な説明】
図２はセルサーチの流れ図である。図３はセルサーチに用いる基地局１４の単純化した構成図である。この基地局１４は、ＰＳＣおよび変調ずみＳＳＣを適切な時間スロットおよびその基地局１４関連のフレームタイミングで生ずるためのＰＳＣ発生器２８、複数のＳＳＣ発生器および変調装置３０１乃至３０ｎ（３０）を含む。ＢＣＨスペクトラム拡散およびトレーニング系列挿入装置３２はＢＣＨ通信信号バーストを生ずる。ＢＣＨバーストはＢＣＨの時間スロットの中で基地局１４の適切なミドアンブルと時間多重化する。上記ＰＳＣ、ＳＳＣおよびＢＣＨとそれぞれ関連づけられている増幅器３４、３６１乃至３６ｎ、および３８はこれら信号の送信電力レベルをそれぞれ調整する。各基地局のＢＣＨ送信電力レベルとＰＳＣ送信電力レベルとの比を特定のセルサーチ機能のために共通の固定比に設定するのが好ましい（ステップ１６）。その結果、ＢＣＨおよびＰＳＣの送信電力レベルはセルごとに異なる結果になるが、各セル１２の中のＢＣＨおよびＰＳＣの送信電力レベルの比は一定になる。しかし、それ以外のセルサーチ機能については、ＢＣＨ／ＰＳＣ送信電力レベル比の一定化は不要である。増幅ずみのＰＳＣ、ＳＳＣおよびＢＣＨをコンバイナ４０で合成してアンテナ４２から放射する。
【００１２】
図４はＵＥ１０のセルサーチシステムの単純化した構成図である。周期的セルサーチのステップ１はステップ１装置４４によって行う。ＴＤＤ／ＣＤＭＡシステムのケース１の場合は単一の時間スロットだけをサーチし、ケース２の場合は二つの時間スロットをサーチする。図３はステップ１装置４４の一つの実働化を示すがこれ以外の構成も可能である。ステップ１装置４４は整合フィルタ５０、雑音推算器５２および比較器５４を含む。アンテナ５８は無線周波数信号を受信する。受信信号を復調装置５６などによりベースバンド信号に復調し、その信号Ｉを整合フィルタ５０で処理する。整合フィルタ５０はＰＳＣに整合している。図５に示すとおり、整合フィルタ５０の出力は、このフィルタ５０の検出したセルについての受信ＰＳＣ電力の大きさを表す一連のパルスから成る。
【００１３】
整合フィルタ５０および比較器５４に接続した雑音推算器５２は、受信入力信号Ｉに伴うＰＳＣＨの雑音電力を推算する。雑音推算器５２の一つの構成例として、受信点の各々の電力を算定する構成がある。雑音推算器５２はそれら点の雑音電力の平均値を算出しその値を比較器５４に出力する。
【００１４】
整合フィルタ５０および雑音推算器５２からの出力を受ける比較５４は、どのパルスがセル検出出力パルスである可能性が高いかを判定する。この判定のために比較器５４が推算器５２からの雑音電力推算値を用いることもある。その雑音電力推算値を閾値Ｋ１の発生に用いる。所定の値Ｋ１をＰＳＣ信号についての予め定めた誤警報率の維持に基づいて選択する。そのためのＫ１の値の一例として雑音電力推算値の２倍（すなわち、雑音推算値よりも３ｄＢ高い）、もう一つの例として雑音電力レベルの４倍（すなわち、雑音推算値よりも６ｄＢ高い）が挙げられる。上記誤警報率は一定でもよく、ケースごとまたはＵＥごとに定めてもよい。
【００１５】
比較器５４は上記受信ＰＳＣＨパルスの各々を上記閾値と比較する。パルスが閾値よりも大きい場合は、比較器５４はそれをセル検出と認識してそのパルスのフレーム内における時間位置をステップ２装置４６（ステップ１８）に供給する。また、比較器５４は受信電力最大値のパルスを表示する。パルスが閾値以下の場合は、比較器はそれを雑音スパイクと認識してその検出電力レベルを無視する。図５に戻ると、符号Ｄ１およびＤ２を付した検出出力が、太い横線で示した算定閾値を上回る検出出力を表す。
【００１６】
各基地局におけるＢＣＨ送信電力レベル対ＰＳＣＨ送信電力レベル比を固定するやり方を性能向上のために提案する。そのためには、受信電力レベル最大値のＰＳＣＨが受信電力レベル最大値のミドアンブルに対応しなければならない。この仮定に基づき、ステップ２およびステップ３を単純化する。
【００１７】
各セルには特定の時間ずれが割り当てられているので、このプロセスは検出したＰＳＣのフレーム内における時間位置をセル特定の推論に用いる。判定の精度を高める場合、またはセルの事前情報を用いない場合は、ステップ２を実行する。図６はＰＳＣ検出出力を用いたセル特定の推論流れ図である。ＵＥ１０にはセルごとの特定の時間ずれが予め既知である。ＵＥはＰＳＣ時間ずれ判定出力に基づきその時間ずれを用いてセル情報を判定し、図６のステップ２（ステップ１９）を省略できる。ステップ３においてＵＥ１０はＢＣＨミドアンブルを検出するとともにＰＳＣ検出の精度を検証する。事前情報が誤っている場合は、ＰＳＣ検出が誤りであるかセルがその事前情報と関連していないと認識する。
【００１８】
ステップ１装置４４およびステップ３装置４８に接続したステップ２装置４６は、入力信号Ｉと、比較器５４からの各検出出力セルのフレーム内時間位置情報とを受ける。受信ＰＳＣ電力最大値のセルの位置を用いて、ステップ２装置４６はセル情報算定のためにそのセルのＳＳＣを判定する（ステップ２０、２２）。特定のＰＳＣ位置だけを検出ずみＰＳＣＨにつき一つずつ用いることによってステップ２を単純化する。ＳＳＣの出力はＰＳＣ検出出力から導き出せる開始時点の情報を利用する。次ぎに、相関器６０の実行する単純な相関プロセスを、ＳＳＣの搬送してきたパラメータを導くように実行することができる。復調プロセスは副産物として信頼水準を生ずる。この信頼水準は、選んだＳＳＣパターンに対応する相関出力の大きさでも構成できる。このＳＳＣパターンを累算器６２に蓄積する。
【００１９】
このＳＳＣ判定プロセスが判定デバイス６４などによる判定の結果信頼水準を超えた場合は、追加のスロット情報を累算する必要はない。信頼水準はＫ２などの閾値でも差支えない。信頼水準を超える値がない場合は累算器６２は後続のフレーム情報を信頼水準への到達またはフレームカウント数の所定値への到達まで非コヒーレント式に加算する。信頼水準への到達のあと、ＳＳＣ受信出力を判定デバイス６４により判定する。ＳＳＣ検出出力およびそれらＳＳＣの変調データを用いて、符号群、ｔＯＦＦＳＥＴ、フレーム指標および当該セルからの送信ＰＳＣの時間スロット（ケース２の場合）を判定する。信頼水準を上回ることがない場合、またはＳＳＣが許容ＳＳＣ組合せと合致しない場合は、初めのＰＳＣ検出は誤りと認識し、受信電力レベルの二番目に大きいＰＳＣを信号処理する。
【００２０】
ＰＳＣの時間位置またはステップ２の出力からのセル情報を用いてステップ３装置４８はそのセルのＢＣＨミドアンブルまたはスクランブル符号を判定する。ステップで判定した符号群セットは、四つのミドアンブル符号などひと組のミドアンブル符号と関連づけられている。ＢＣＨの期間中に整合フィルタ７０１入力信号Ｉと上記組の各ミドアンブル符号との間で相関をとる。相関出力を累算装置７２により所定数のフレームの期間にわたって累算する。この累算した相関出力に基づき、そのセルについてのＢＣＨミドアンブルをＢＣＨミドアンブル判定装置７４により判定する。このミドアンブル判定出力を用いてそのセルのスクランブル符号を決める。可能性あるセルのミドアンブル符号一つだけをサーチするので、ステップ３も単純化される。したがって、ステップ３装置のハードウェアも単純化され、ステップ３の所要処理時間も短縮される。ステップ２からのセル情報およびステップ３の決めたスクランブル符号を用いてＵＥ１０は被選択基地局１４と交信する（２６）。
【００２１】
セルサーチ情報を基地局１４相互間の同期にも使うことができる。上述のセルサーチ手順は基地局間同期達成にも使えるが、上記以外のセルサーチ手法を用いることもできる。図７はＵＥ１４からのセルサーチ情報を用いた基地局相互間同期確保の流れ図である。
【００２２】
ステップ１装置４４を用いて受信ＰＳＣの位置を算定する（ステップ７６）。ステップ２装置４６を用いて、各ＰＳＣのＳＳＣおよび当該セルの時間ずれおよび時間スロットを算定する（７８）。ＳＳＣの各組を信頼試験（８０）にかけるのが好ましい。信頼試験に不合格のＳＳＣ組は切り捨てとする。信頼試験の一つの例ではＳＳＣからの受信電力を相互に比較する。受信電力最大値を示すＳＳＣを二番目に大きい受信出力のＳＳＣと比較する。その二番目に大きい受信電力レベルが上記最大値の特定の百分比範囲内に入っていない場合はそのＰＳＣ検出出力は切り捨てとする。
【００２３】
セル１２は互いに異なる時間ずれおよび時間スロットでＰＳＣを送信するのでＰＳＣ位置は互いに補償する方向に調節される（ステップ８２）。各受信セルの調整ずみＰＳＣ位置が、そのセル自身のタイミングに対し同じ時間基準でＰＳＣを送信する各セルをシミュレートする。より詳しく述べると、二つのセルのＰＳＣの位置を、各セルがスロット０の始点（時間ずれなし）でＰＳＣを送信する形でシミュレートするように調整する。各ＰＳＣの調整後の到着時間（ＴＯＡ）を算定する（ステップ８４）。このＴＯＡ情報を基地局タイミングの調整に用いる（ステップ８６）。
【００２４】
基地局タイミング同期確保の一つの手法は到着時間距離（ＴＤＯＡ）を用いる。各セル対のＴＤＯＡを算定する。無線周波数信号は高速で伝搬されるので、各セルの基地局１４とＵＥ１０との間の距離を用いて、完全同期セル相互間のＴＤＯＡを算定する。ＵＥ１０が固定位置にある場合は、ＵＥ／基地局間距離は既知であろう。ＵＥ／基地局間距離は地理的位置特定方法によって算定することもできる。ＴＤＯＡ測定値と完全同期ずみのＴＤＯＡとの間の差を算定することによって、タイミング誤差を算定する。このタイミング誤差の利用により、無線回線網コントローラで同期はずれ状態の基地局１４のタイミングを調整する。
【００２５】
基地局同期はセルサーチと同時に行う必要はないので、各セルのＰＳＣ位置、時間ずれ情報および時間スロット情報を多数のフレーム期間にわたって収集することができる。したがって、基地局同期の達成に追加の装置は不要である。また、各セルから送信ずみのＰＳＣやＳＳＣなどの信号を用いることによって、基地局同期のための追加の無線リソースの利用は不要となる。
【００２６】
ＴＤＯＡ算出は無線回線網コントローラで行うのが好ましいが、ＵＥ１０またはノードＢで行うこともできる。ＰＳＣ検出出力の各々について、そのＰＳＣの基地局情報、すなわち符号群、ｔＯＦＦＳＥＴ、フレーム指標、送信ＰＳＣの時間スロット、受信電力、ＵＥのタイミングに対する到着時間などの情報を算出する。そのＰＳＣのｔＯＦＦＳＥＴおよび時間スロットの算定結果に基づき、各ＰＳＣの到着時間を調整する。それら到着時間ほかのセル情報を基地局タイミング調整用に無線回線網コントローラに送る。
【００２７】
ＵＥにおける到着時間測定の始動のためには、無線回線網コントローラからＵＥ１０に対して特定の基地局１４について測定するよう指示することができる。ＵＥ１０は、特定の基地局１４のＴＯＡを測定したのち、その情報を基地局１４の同期確保のためにＲＮＣに中継する。ＵＥ１０によるこの特定の基地局１４の識別はその基地局に関連づけられたＳＳＣによって行う。ＲＮＣはＵＥ１０に対しその近傍全部におけるＴＯＡ測定を行うよう指示する。ＵＥ１０は近傍関係情報全部をＲＮＣに中継する。各セルの情報とともに信頼水準の情報をＵＥ１０から送るのが望ましい。一つの信頼水準はＰＳＣの受信電力の比をとりそれをＳＳＣ受信電力と比較する。受信電力レベルが互いに近い値である場合は検出の信頼性が高いことを示す。
【００２８】
ＲＮＣはセル情報をとり測定結果報告信号を生ずる。この報告信号は一つのＵＥ１０または多数のＵＥ１０からの測定値を含むことができる。信頼水準は各セルについての情報の重みづけに用いる。したがって、信頼水準の高い測定値には低い信頼水準の測定値よりも大きい重みづけをする。これら測定値の変動の履歴を追跡して上記報告信号に含めることもできる。基地局１４の同期達成用の蓄積ずみ情報の重みづけにはＫａｌａｍａｎフィルタを用いることができる。
【図面の簡単な説明】
【図１】無線通信システムにおけるユーザ装置（ＵＥ）の説明図。
【図２】セルサーチの流れ図。
【図３】セルサーチに用いる基地局の簡略化した構成図。
【図４】ユーザ装置（ＵＥ）の初期セルサーチシステムの簡略化した構成図。
【図５】ＰＳＣ整合フィルタからの出力のグラフ。
【図６】割当てセル時間スロット情報を用いたセルサーチの流れ図。
【図７】セルサーチ情報を用いた基地局同期の流れ図。
【符号の説明】
１０    ユーザ装置
１２    セル
１４    基地局
１６    各基地局から共通の固定送信電力比でＢＣＨとＰＳＣとを送信する
１８    ＰＳＣＨで受信したＰＳＣ信号を検出する
２０    受信電力最大値のＰＳＣの位置を用いて同じセルのＳＳＣを検出する
２２    検出したＳＳＣおよび送信されてきたＳＳＣ信号の変調信号であるデータを用いてそのセルのセル情報を判定する
２４    そのセル情報を用いてそのセルがＢＣＨで送信してきたミドアンブルを判定する
２６    判定したセル情報およびスクランブル符号を用いてＵＥがその基地局と交信する
２８    一次同期符号（ＰＳＣ）発生器
３０    二次同期情報（ＳＳＣ）発生器
３２    ＢＣＨスペクトラム拡散およびトレーニング系列挿入装置
１９    判定したＰＳＣ時間ずれおよび事前情報を用いてＵＥがその時間スロットと関連したセルを判定する
７６    受信したＰＳＣの時間位置を判定する
７８    ＰＳＣ時間位置の各々についてそのＰＳＣの基地局と関連したＳＳＣを判定する
８０    判定したＳＳＣについて信頼試験を行う
８２    信頼試験を合格したＰＳＣについて、その時間ずれおよび時間スロットに基づき各ＰＳＣタイミングを調節し、同時送信の場合に各ＰＳＣの受信時間をシミュレートする
８４    受信したＰＳＣの各々のＰＳＣ到着時間を時間調節して算定する
８６    調節ずみＰＳＣ到着時間を用いて基地局のタイミングを調節する
【図１】
2004525531.tif 000003
【図２】
2004525531.tif 000004
【図３】
2004525531.tif 000005
【図４】
2004525531.tif 000006
【図５】
2004525531.tif 000007
【図６】
2004525531.tif 000008
【図７】
2004525531.tif 000009
【国際公開パンフレット】
2004525531.tif 000010
2004525531.tif 000011
2004525531.tif 000012
2004525531.tif 000013
2004525531.tif 000014
2004525531.tif 000015
2004525531.tif 000016
2004525531.tif 000017
2004525531.tif 000018
2004525531.tif 000019
2004525531.tif 000020
2004525531.tif 000021
2004525531.tif 000022
2004525531.tif 000023
2004525531.tif 000024
2004525531.tif 000025
2004525531.tif 000026
2004525531.tif 000027
2004525531.tif 000028
2004525531.tif 000029
2004525531.tif 000030
2004525531.tif 000031
2004525531.tif 000032
2004525531.tif 000033
2004525531.tif 000034
2004525531.tif 000035
2004525531.tif 000036
2004525531.tif 000037
2004525531.tif 000038
2004525531.tif 000039
2004525531.tif 000040
2004525531.tif 000041
2004525531.tif 000042
【国際公開パンフレット（コレクトバージョン）】
2004525531.tif 000043
2004525531.tif 000044
【手続補正書】
【提出日】平成14年7月29日(2002.7.29)
【手続補正１】
【補正対象書類名】明細書
【補正対象項目名】特許請求の範囲
【補正方法】変更
【補正の内容】
【特許請求の範囲】
【請求項１】
システムフレームの中の互いに異なるタイミングの一次同期チャネルで共通の一次同期符号（ＰＳＣ）をそれぞれ送信するとともに一斉通報チャネルでミドアンブル符号をそれぞれ送信する複数の基地局を有する無線通信システムであって、前記ＰＳＣと前記ミドアンブル符号との送信電力レベルの比が前記基地局の各々において共通の一定の値を有する無線通信システムにおいてセルサーチを行うことのできるユーザ装置（ＵＥ）であって、
前記ＰＳＣを受信する受信機と、
受信したＰＳＣの電力レベルを測定するとともに電力閾値以上の電力レベルの受信ＰＳＣのフレームタイミングを特定する信号電力測定装置と、
閾値を超える電力レベルで受信したＰＳＣのうち電力レベル最大値のＰＳＣに関連した前記一次同期チャネルで受信したデータ信号であって二次同期符号を含むデータ信号を分析するとともに、前記電力レベル最大値のＰＳＣに関連した基地局との同期を確保し維持するプロセッサと
を含むユーザ装置（ＵＥ）。
【請求項２】
前記信号電力測定装置が、
前記共通のＰＳＣに整合し前記複数の基地局からそれぞれ受信したＰＳＣの各々を測定する整合フィルタと、
前記複数の基地局の各々から受信した送信信号の雑音電力を算定する雑音推算器と、
前記電力閾値を算定するとともに、前記受信したＰＳＣの前記測定した電力レベルを前記閾値と比較し前記電力レベル最大値のＰＳＣのフレームタイミングを出力する比較器と
を含む請求項１記載のユーザ装置。
【請求項３】
前記プロセッサが、
前記信号電力測定装置からの前記フレームタイミング出力に応答して前記一次同期チャネルの前記二次同期符号（ＳＳＣ）を検出し、前記フレームタイミングに関連した基地局を特定して前記ミドアンブル符号を含む基地局情報を抽出するＳＳＣプロセッサと
前記ＳＳＣプロセッサに応答して一次スクランブル符号を検出する同期プロセッサと
を含む請求項２記載のユーザ装置。
【請求項４】
前記基地局情報が時間ずれ、フレーム指標、前記送信したＰＳＣの時間スロット、受信信号電力、および前記ＵＥについての到着時間をさらに含む請求項３記載のユーザ装置。
【請求項５】
前記プロセッサが前記受信したＰＳＣのうち前記電力閾値を超える電力レベルの受信ＰＳＣに関連した一次スクランブル符号を検出するとともに、前記ＰＳＣのうち前記電力閾値を超える電力レベルの一つのＰＳＣに関連した基地局との同期を確保して維持し、前記電力閾値と前記一つのＰＳＣに関連した前記ミドアンブル符号の受信電力レベルとの比が前記共通の比よりも大きくなるようにする
請求項１記載のユーザ装置（ＵＥ）。
【請求項６】
前記電力レベル最大値のＰＳＣに関連した基地局が前記フレームタイミングに基づき前記ＵＥに既知であり、その既知情報が前記ミドアンブル符号の抽出に用いられる請求項２記載のユーザ装置。
【請求項７】
前記電力レベル最大値のＰＳＣと関連した基地局とプロセッサが同期をとる請求項６記載のユーザ装置。
【請求項８】
前記基地局情報が時間ずれ、フレーム指標、前記送信したＰＳＣの時間スロット、受信信号電力、および前記ＵＥについての到着時間をさらに含む請求項７記載のユーザ装置。
【請求項９】
システムフレームの中の互いに異なるタイミングの一次同期チャネルで共通の一次同期符号（ＰＳＣ）をそれぞれ送信するとともに一斉通報チャネルでミドアンブル符号をそれぞれ送信する複数の基地局であって、前記ＰＳＣと前記ミドアンブル符号との送信電力レベルの比が各々において共通の一定の値を有する複数の基地局と、
セルサーチを行うことのできるユーザ装置（ＵＥ）であって、
前記ＰＳＣを受信する受信機と、
受信したＰＳＣの電力レベルを測定するとともに電力閾値以上の電力レベルの受信ＰＳＣのフレームタイミングを特定する信号電力測定装置と、
閾値を超える電力レベルで受信したＰＳＣのうち電力レベル最大値のＰＳＣに関連した前記一次同期チャネルで受信したデータ信号であって二次同期符号を含むデータ信号を分析するとともに、前記電力レベル最大値のＰＳＣに関連した基地局との同期を確保し維持するプロセッサと
を含むユーザ装置（ＵＥ）と
を含む無線通信システム。
【請求項１０】
前記信号電力測定装置が、
前記共通のＰＳＣに整合し前記複数の基地局からそれぞれ受信したＰＳＣの各々を測定する整合フィルタと、
前記複数の基地局の各々から受信した送信信号の雑音電力に基づき前記電力閾値を算定する雑音推算器と、
前記電力閾値を算定するとともに、前記受信したＰＳＣの前記測定した電力レベルを前記閾値と比較し前記電力レベル最大値のＰＳＣのフレームタイミングを出力する比較器と
を含む請求項９記載の無線通信システム。
【請求項１１】
前記プロセッサが、
前記信号電力測定装置からの前記フレームタイミング出力に応答して前記一次同期チャネルの前記二次同期符号（ＳＳＣ）を検出し、前記フレームタイミングに関連した基地局を特定して前記ミドアンブル符号を含む基地局情報を抽出するＳＳＣプロセッサと
前記ＳＳＣプロセッサに応答して一次スクランブル符号を検出する同期プロセッサと
を含む請求項１０記載の無線通信システム。
【請求項１２】
前記基地局情報が時間ずれ、フレーム指標、前記送信したＰＳＣの時間スロット、受信信号電力、および前記ＵＥについての到着時間をさらに含む請求項１１記載の無線通信システム。
【請求項１３】
前記信号電力測定装置が前記ミドアンブル符号を含む基地局情報を抽出し、
前記プロセッサが前記電力閾値以上の前記受信したＰＳＣと関連した一次スクランブル符号を検出するとともに、前記電力閾値以上の電力レベルの前記一つのＰＳＣに関連づけられた基地局との同期確保を、前記電力閾値と前記一つのＰＳＣに関連づけられたミドアンブル符号の受信電力レベルとの比が前記共通の比を超えるように行う請求項９記載の無線通信システム。
【請求項１４】
前記信号電力測定装置が、
前記共通のＰＳＣに整合し前記複数の基地局からそれぞれ受信したＰＳＣの各々を測定する整合フィルタと、
前記複数の基地局の各々から受信した送信信号の雑音電力に基づき前記電力閾値を算定する雑音推算器と、
前記受信したＰＳＣの前記測定した電力レベルを前記閾値と比較し、前記電力閾値を超える前記特定したＰＳＣのフレームタイミングを出力する比較器と
を含む請求項９記載の無線通信システム。
【請求項１５】
前記電力閾値を超える受信ＰＳＣに関連した基地局が前記フレームタイミングに基づき前記ＵＥに既知であり、その既知情報が前記ミドアンブル符号の抽出に用いられる請求項１４記載の無線通信システム。
【請求項１６】
前記電力閾値を超える前記ＰＳＣのうち電力レベル最大値のものと関連した基地局と前記ＵＥが同期をとる請求項１５記載の無線通信システム。
【請求項１７】
複数の基地局とユーザ装置（ＵＥ）とを有する無線通信システムにおけるセルサーチの方法であって、
前記基地局の各々において、
フレームの中の互いに異なるタイミングの一次同期チャネルで共通の一次同期符号（ＰＳＣ）をそれぞれ送信することと、
一斉通報チャネル経由のミドアンブル符号の送信を、前記ＰＳＣと前記ミドアンブル符号との送信電力レベルの比が前記基地局の各々において共通の一定の値を有するように行うことと
を含み、
前記ユーザ装置（ＵＥ）において、
前記ＰＳＣを受信することと、
受信したＰＳＣの電力レベルを測定することと、
電力閾値以上で電力レベル最大値の受信ＰＳＣのフレームタイミングを特定することと、
閾値を超える電力レベルで受信したＰＳＣを有し前記一次同期チャネルで受信したデータ信号であって二次同期符号を含むデータ信号を分析することと、
前記電力レベル最大値のＰＳＣに関連した基地局との同期を確保し維持することと
を含むセルサーチの方法。
【請求項１８】
前記複数の基地局の各々から受信した送信信号の雑音電力に基づき前記電力閾値を算定する過程と、
前記受信したＰＳＣの前記測定した電力レベルを前記閾値と比較し前記電力レベル最大値のＰＳＣのフレームタイミングを出力する過程と、
前記一次同期チャネルの前記二次同期符号を検出し、前記フレームタイミングに関連した基地局を特定して前記ミドアンブル符号を含む基地局情報を抽出する過程と、
一次スクランブル符号を検出する過程と
をさらに含む請求項１７記載の方法。
【請求項１９】
前記基地局情報が時間ずれ、フレーム指標、前記送信したＰＳＣの時間スロット、受信信号電力、および前記ＵＥについての到着時間をさらに含む請求項１８記載の方法。
【請求項２０】
前記電力閾値および前記一つのＰＳＣに関連した前記ミドアンブル符号の前記受信電力レベルの比が前記同じ一定の比の値を超える請求項１７記載の方法。
【請求項２１】
無線通信システム、すなわち一次同期チャネルで一次同期符号（ＰＳＣ）を送信する複数の基地局であって、システムフレームの中の互いに異なるタイミングでＰＳＣを、一斉通報チャネルでミドアンブル符号を各々がそれぞれ送信する複数の基地局と、ユーザ装置とを含む無線通信システムにおいて複数の基地局を互いに同期させる方法であって、
前記複数の基地局の各々について前記ＰＳＣを受信する過程と、
受信したＰＳＣの電力レベルを測定する過程と、
電力閾値よりも高い電力レベルを有する前記ＰＳＣのフレームタイミングを検出する過程と、
前記電力閾値を超える前記ＰＳＣと関連した前記基地局を特定するとともに、その特定された基地局の時間ずれおよび時間スロットなどの基地局情報を抽出する過程と、
前記時間ずれに応答して前記特定された基地局の前記ＰＳＣのフレームタイミングを調整する過程と、
前記調整したＰＳＣフレームタイミングの各々につき到着時間（ＴＯＡ）を算出する過程と、
前記ＴＯＡに応答して前記基地局のタイミングを調整する過程と
を含む方法。
【請求項２２】
前記基地局を特定する過程が、
前記一次同期チャネルの中の二次同期符号（ＳＳＣ）を検出する過程と、
前記ＳＳＣについて信頼試験を行う過程と
を含む請求項２１記載の方法。
【請求項２３】
前記ＴＯＡに応答して前記フレームタイミングを調整する過程が、
前記特定した基地局の各々について前記ＴＯＡを用いて到着時間距離（ＴＤＯＡ）を算出する過程と、
前記算出したＴＤＯＡを蓄積ずみのＴＤＯＡと比較する過程と、
前記比較に基づきタイミング誤りを発生する過程と
を含む請求項２２記載の方法。
【請求項２４】
前記ミドアンブル符号と前記ＰＳＣとの送信電力レベルの比が前記基地局の各々について共通の固定値である請求項２３記載の方法。
【国際調査報告】
2004525531.tif 000045
2004525531.tif 000046
2004525531.tif 000047